(57)【要約】  【課題】  録画番組毎のレジューム状態の確認を簡易に行うことが可能な映像情報処理装置を提供する。  【解決手段】  ＨＤＤレコーダ１のデータ記憶領域１３ａに記録されている録画コンテンツの一覧を表示する画面において、各録画コンテンツの再生履歴を参照し（Ｓ２０）、レジューム状態である録画コンテンツがあるかの確認を行い（Ｓ３０）、該当するコンテンツがある場合は、状態表示部分にレジューム状態である旨の表示を行う（Ｓ５０）。【選択図】      図１
2007020089.tif 000002
【特許請求の範囲】
【請求項１】
映像情報を記憶するハードディスクと、
前記映像情報の再生処理中に再生処理中断が行われた際に、中断が行われた位置を、次
回再生指示を受信した際における再生処理再開位置であるレジュームポイントとして前記
ハードディスクに記憶する制御部と、
を備えたハードディスクレコーダにおいて、
前記制御部が、前記ハードディスクに記録されている全部または一部の前記映像情報の
表題を一覧表示する際に、前記映像情報毎に前記レジュームポイントの有無を確認するレ
ジュームポイント確認手段と、
前記レジュームポイント確認手段において前記レジュームポイントが存在すると判断さ
れた前記映像情報の表題を表示する際に、前記表題と併せてレジュームポイントが存在す
ることを示す情報を表示するレジューム状態表示手段と、
前記レジュームポイントが存在する前記映像情報に対して内容変更処理命令が発行され
た際に、ユーザーに対して前記映像情報が前記レジュームポイントを保持していることを
告知するレジューム状態告知手段と、
を備えたことを特徴とするハードディスクレコーダ。
【請求項２】
映像情報を記憶する記憶部と、
前記映像情報の再生処理中に再生処理中断が行われた際に、中断が行われた位置を、次
回再生指示を受信した際における再生処理再開位置として前記記憶部に記憶する制御部と
、
を備えた映像情報処理装置において、
前記制御部が、前記記憶部に記録されている全部または一部の前記映像情報の表題を一
覧表示する際に、前記映像情報毎に前記再生処理再開位置の有無を確認する再生処理再開
位置確認手段と、
前記再生処理再開位確認手段において前記再生処理再開位置が存在すると判断された前
記映像情報の表題を表示する際に、前記表題と併せて前記再生処理再開位置が存在するこ
とを示す情報を表示する再生処理再開状態表示手段と、
を備えたことを特徴とする映像情報処理装置。
【請求項３】
前記再生処理再開位置が存在する前記映像情報に対して内容変更処理命令が発行された
際に、ユーザーに対して前記映像情報が前記再生処理再開位置を保持していることを告知
する再生処理再開状態告知手段
を備えたことを特徴とする請求項２に記載の映像情報処理装置。
【請求項４】
映像情報を記憶する映像情報記憶工程と、
前記映像情報の再生処理中に再生処理中断が行われた際に、中断が行われた位置を、次
回再生指示を受信した際における再生処理再開位置であるレジュームポイントとして前記
ハードディスクに記憶するレジュームポイント記憶工程と、
を有する映像情報処理方法において、
制御部が、前記ハードディスクに記録されている全部または一部の前記映像情報の表題
を一覧表示する際に、前記映像情報毎に前記レジュームポイントの有無を確認するレジュ
ームポイント確認工程と、
前記レジュームポイント確認工程において前記レジュームポイントが存在すると判断さ
れた前記映像情報の表題を表示する際に、前記表題と併せてレジュームポイントが存在す
ることを示す情報を表示するレジューム状態表示工程と、
前記レジュームポイントが存在する前記映像情報に対して内容変更処理命令が発行され
た際に、ユーザーに対して前記映像情報が前記レジュームポイントを保持していることを
告知するレジューム状態告知工程と、
を有することを特徴とする映像情報処理方法。
【請求項５】
映像情報を記憶する映像情報記憶工程と、
前記映像情報の再生処理中に再生処理中断が行われた際に、中断が行われた位置を、次
回再生指示を受信した際における再生処理再開位置として記憶部に記憶する再生処理再開
位置記憶工程と、
を有する映像情報処理方法において、
制御部が、前記記憶部に記録されている全部または一部の前記映像情報の表題を一覧表
示する際に、前記映像情報毎に前記再生処理再開位置の有無を確認する再生処理再開位置
確認工程と、
前記再生処理再開位置確認工程において前記再生処理再開位置が存在すると判断された
前記映像情報の表題を表示する際に、前記表題と併せて再生処理再開位置が存在すること
を示す情報を表示する再生処理再開状態表示工程と、
を有することを特徴とする映像情報処理方法。
【請求項６】
前記再生処理再開位置が存在する前記映像情報に対して内容変更処理命令が発行された
際に、ユーザーに対して前記映像情報が前記再生処理再開位置を保持していることを告知
する再生処理再開状態告知工程
を有することを特徴とする請求項５に記載の映像情報処理方法。
【発明の詳細な説明】
【技術分野】
【０００１】
本発明は、映像情報処理装置、および映像情報処理方法に関するものであり、特に映像
再生時の中断処理および再開処理に関する。
【背景技術】
【０００２】
近年、テレビ等の映像装置において処理される映像および音声の記録および再生を行う
ための装置として、ＤＶＤ（Digital Versatile Disk）レコーダまたはＨＤＤ（Hard Dis
k Drive）レコーダ等のデジタル方式による映像情報処理装置が広く普及してきている。
これらのデジタル方式の映像情報処理装置の機能の一つに、レジューム機能がある。
【０００３】
レジューム機能とは、例えば光ディスク記録再生装置等の映像情報処理装置において、
再生停止後の次回再生時に、前回の再生停止箇所から自動的に再生を開始する機能である
。具体的には、光ディスク記録再生装置がユーザーより再生停止指示を受信した際に、光
ディスク上の再生停止位置を検出し、検出した再生停止位置を指し示すポインタを次回再
生開始点として記録する。この機能を用いれば、再生停止後にふたたび再生開始の指示を
受けた場合に、記憶されている次回再生開始点を参照することによって、前回再生を停止
した位置からの継続的な再生を行うことが可能である。
【０００４】
上記のレジューム機能に関連して特許文献１では、再生停止時の各種情報をＨＤＤに記
録することによりレジューム機能を強化した光ディスク再生装置が開示されている。特許
文献１の光ディスク再生装置は、映像の再生を停止する都度、再生を行っていた光ディス
ク毎に、再生停止位置であるレジュームポイント、再生停止日時情報、および再生停止時
の静止画情報をレジューム情報としてＨＤＤに記録する。
【０００５】
上記のレジューム機能を用いた再生をユーザーが行う場合、ＨＤＤに記録されているレ
ジューム情報をもとに該当する光ディスクの所定数のレジュームポイントの静止画及び再
生停止日時がディスプレイに一覧表示される。ユーザーがレジュームポイントの静止画及
び再生停止日時をもとにいずれかのレジュームポイントを選択すると、選択されたレジュ
ームポイントから映像の再生が開始される。なお、同じ光ディスクで複数回の再生停止を
行った場合には、それら複数回の再生停止位置がレジュームポイントとされる。このため
、それら複数回のレジュームポイントのいずれかのポイントからでも映像の再生を開始す
ることができる。
【０００６】
上記の特許文献１の発明によれば、所定数のレジュームポイントの静止画及び再生停止
日時が一覧表示されるため、それら静止画及び再生停止日時を参照することにより、目的
のレジュームポイントを容易に探し出して選択することができる。さらに、光ディスク毎
にレジューム情報が記録されるため、任意の光ディスクに対して同様のレジューム機能が
利用できる。また、一旦光ディスクを交換した場合でも交換前の光ディスクに対してレジ
ューム機能を利用できるという特徴を持つ。
【０００７】
しかしながら、特許文献１の光ディスク記録再生装置に代表されるような従来の映像情
報処理装置においては、レジュームポイントの一覧をユーザーに対して表示する機能はあ
っても、映像情報一覧（例えば録画番組一覧等）において、レジュームポイントの有無を
表示する機能は無かった。例えば図６に示すように、従来の映像情報処理装置の録画タイ
トル一覧画面では、再生状態を示すパラメータとして「再生済み」や「未再生」等しか存
在せず、レジューム状態を示すパラメータは存在しなかった。そのため再生済みの番組で
あっても、その番組を最後まで視聴したのか、それとも途中で再生を一時停止している状
態（レジューム状態）であるか、区別をつけることができなかった。
【０００８】
そのためユーザーは、どの録画タイトルがレジューム状態であるのか調べるために、例
えば録画番組を一つ一つ再生したり、もしくは録画番組の詳細情報を他画面で確認するな
どの作業を行う必要があった。また例えば、ユーザーがレジューム状態である録画番組を
消去しようとした場合、警告メッセージ等の表示がなされないため、過って視聴途中の録
画番組を消去してしまう可能性があるという問題があった。
【特許文献１】特開２００４−２０６７８４号公報
【発明の開示】
【発明が解決しようとする課題】
【０００９】
本発明は、上記の問題を解決するためになされたものであって、その目的は、レジュー
ム機能を備えた映像情報処理装置において、録画した番組（コンテンツ）のうち、レジュ
ーム状態であるコンテンツをユーザーが容易に判別でき、かつ過ってレジューム状態のコ
ンテンツに対して消去あるいは編集等の処理が施されてしまうのを防止する機能を備えた
映像情報処理装置、および映像情報処理方法を提供することにある。
【課題を解決するための手段】
【００１０】
上記目的を達成するために本発明の映像情報処理装置は、
映像情報を記憶する記憶部と、
前記映像情報の再生処理中に再生処理中断が行われた際に、中断が行われた位置を、次
回再生指示を受信した際における再生処理再開位置として前記記憶部に記憶する制御部と
、
を備えた映像情報処理装置において、
前記制御部が、前記記憶部に記録されている全部または一部の前記映像情報の表題を一
覧表示する際に、前記映像情報毎に前記再生処理再開位置の有無を確認する再生処理再開
位置確認手段と、
前記再生処理再開位確認手段において前記再生処理再開位置が存在すると判断された前
記映像情報の表題を表示する際に、前記表題と併せて前記再生処理再開位置が存在するこ
とを示す情報を表示する再生処理再開状態表示手段と、
を備えたことを特徴としている。
【００１１】
この構成によると、
ＨＤＤレコーダ（映像情報処理装置）のハードディスク（記憶部）に記録されている録
画コンテンツ（映像情報）の一覧を表示する際に、各録画コンテンツの再生履歴を確認し
、各録画コンテンツがレジューム状態（再生中断状態）であるかどうかの確認を行う。そ
してレジューム状態である録画コンテンツについては、一覧表示画面（例えば録画コンテ
ンツ一覧画面等）においてレジューム状態であることを示す表示を行う。
【００１２】
また、上記目的を達成するために本発明の映像情報処理装置は、
前記再生処理再開位置が存在する前記映像情報に対して内容変更処理命令が発行された
際に、ユーザーに対して前記映像情報が前記再生処理再開位置を保持していることを告知
する再生処理再開状態告知手段
を備えたことを特徴としている。
【００１３】
また、この構成によると、
一覧表示画面において、レジューム状態である録画コンテンツに対してユーザーより削
除、あるいは編集等といった、コンテンツの内容に対して変更を加える処理が指示された
際に、警告メッセージ等を表示し、レジューム状態である旨の通知をユーザーに対して行
う。
【発明の効果】
【００１４】
本発明によれば、ＨＤＤレコーダ等の映像情報処理装置の録画コンテンツ一覧画面等に
おいて、レジューム状態であるコンテンツをユーザーが容易に識別することができるため
、従来の映像情報処理装置のように、各録画コンテンツを再生して内容を確認したり、或
いは各コンテンツの詳細情報を確認する等によりレジュームポイントの有無を確認する必
要がない。このため、各コンテンツのレジューム状態を確認する際のユーザーの作業を減
らし、利便性を向上させることが可能である。
【００１５】
また本発明によれば、録画コンテンツ一覧画面に表示されている録画コンテンツに対し
てユーザーが削除、或いは編集等の処理を指示した際に、そのコンテンツがレジューム状
態であればユーザーに対して警告を行うため、レジューム状態のコンテンツに対して過っ
て消去或いは編集等の処理を行い、コンテンツの内容を変更してしまう危険性がない。こ
のため、データ（録画コンテンツ）の保全性を強化することができる。
【発明を実施するための最良の形態】
【００１６】
本発明の実施の一形態について、図面に基づいて説明すれば、以下の通りである。
［実施の形態］
〈１．ＨＤＤレコーダの内部構成について〉
ここで、本発明の第一の実施形態におけるＨＤＤレコーダ１の電気回路システムの要部
構成を、図３のブロック図を用いながら説明する。
【００１７】
図３のブロック図に示すように、本発明のＨＤＤレコーダ１は、少なくとも、制御部１
１、メモリ１２、ＨＤＤ１３、データ入力部１４、エンコーダ部１５、デコーダ部１６、
データ出力部１７、プログラム記憶部１８、操作ボタン群２１、およびフロントパネル２
２を含むように構成されている。
【００１８】
制御部１１は、ＨＤＤレコーダ１の各部材の駆動を有機的に制御することにより映像情
報処理（コンテンツの録画、或いは再生等）を統括制御するための中央処理装置である。
また制御部１１は、各装置（例えばＨＤＤ１３等）の制御やデータの計算、加工処理等を
行なう中枢部分となっている。
【００１９】
メモリ１２は、ＨＤＤレコーダ１が保持する各種データを一時的に記憶する媒体であり
、例えば書込可能なＲＡＭ（Random Access Memory）等により構成されている。メモリ１
２は、例えば制御部１１によって各種情報処理が行われる際の処理データや、ユーザーか
ら受けた指示命令等を一時的に記憶しておくためのバッファメモリとしての役割を持つ。
【００２０】
ＨＤＤ１３は、ＨＤＤレコーダ１が保持する各種データ（映像データ、音声データ、ま
たは管理データ等）を記録するための磁気記憶媒体である。なお、ＨＤＤ１３は、複数の
領域（パーティション）に物理的に分割されており、記憶するデータの種別（映像データ
、管理データ等）に応じて領域別に記憶することがより望ましい。
【００２１】
データ入力部１４は、例えばデジタルチューナーなどの外部装置からデジタルデータ（
映像情報）を入力するための入力インタフェースである。また、例えばアナログデータを
入力する場合は、Ａ／Ｄコンバータ（Analog Digital Converter）を用いてアナログの映
像データおよび音声データをデジタルデータに変換して入力することが可能である。
【００２２】
エンコーダ部１５は、映像データをＭＰＥＧ２等の動画圧縮方式により圧縮（エンコー
ド）を行ったり、音声データをＤｏｌｂｙ  ＡＣ−３やＬＰＣＭ等の音声圧縮方式により
圧縮を行うための処理回路である。なお、圧縮を行うデータとしては、例えばデータ入力
部１４より入力された映像データおよび音声データ等が対象となる。
【００２３】
デコーダ部１６は、前記エンコーダ部１５等により圧縮された映像データおよび音声デ
ータを伸長（デコード）するための処理回路である。伸張が行われたデータは、例えば後
述するデータ出力部１７等を用いて外部機器に対して出力される。
【００２４】
データ出力部１７は、例えばモニターなどの外部装置に対して映像データおよび音声デ
ータを出力するための出力インタフェースである。なお、例えば出力先の機器がアナログ
インタフェースしか備えていない場合は、Ｄ／Ａコンバータ（Digital Analog Converter
）を用いてデジタルの映像データおよび音声データをアナログデータに変換して出力する
ことが可能である。
【００２５】
プログラム記憶部１８は、例えば制御部１１を用いた各種処理（例えば映像データの入
出力制御等）を行うためのプログラムデータを記憶するための媒体であり、例えば情報の
読み出しのみが可能なＲＯＭ（Read Only Memory）等が用いられる。
【００２６】
操作ボタン群２１は、ユーザーが番組の録画および再生等の各種指示をＨＤＤレコーダ
１に対して行なうための入力インターフェースである。フロントパネル２２は、ＨＤＤレ
コーダ１の各種情報をユーザーに対して表示するためのユーザーインタフェースである。
〈２．レジューム状態表示工程について〉
ここで、本発明のＨＤＤレコーダ１の録画コンテンツにおけるレジューム状態表示工程
を、図１のフロー図、図３のブロック図、および図４のテーブル図を用いながら説明する
。
【００２７】
図１に示すように、制御部１１がユーザーからの録画コンテンツの一覧画面表示指示を
検知することにより、本処理が開始される（Ｓ１０）。なお、録画コンテンツの一覧画面
表示指示は、例えばユーザーが操作ボタン群２１を用いて録画情報の表示操作を行なった
場合等に発行される。
【００２８】
録画コンテンツ一覧の表示指示を受けた制御部１１は、ＨＤＤ１３に記録されている録
画コンテンツの再生履歴の取得を行い（Ｓ２０）、取得された履歴から当該録画コンテン
ツにレジューム記録（以前に再生が行われ、かつ再生中断が行われたことを示す記録）が
あるかどうかを判断する（Ｓ３０）。
【００２９】
前記Ｓ３０の判別処理の結果、制御部１１が当該録画コンテンツの状態をレジューム状
態と判断した場合、出力装置（例えばモニター等）に当該コンテンツがレジューム状態で
あることを示す表示を行い（例えば図４に示す「番組Ｃ」）、後述するＳ６０に移行する
（Ｓ３５）。前記Ｓ３０の判別処理の結果、録画コンテンツにレジューム記録がないと判
断された場合、制御部１１は再度、Ｓ２０で取得された履歴から当該録画コンテンツに再
生済み記録（以前に再生が行われたことを示す記録）があるかどうかを判別する（Ｓ４０
）。
【００３０】
前記Ｓ４０の判別処理の結果、制御部１１が当該録画コンテンツの状態を再生済み状態
と判断した場合、出力装置（例えばモニター等）に当該コンテンツが再生済み状態である
ことを示す表示を行い（例えば図４に示す「番組Ａ」）、後述するＳ６０に移行する（Ｓ
４５）。前記Ｓ４０の判別処理の結果、録画コンテンツに再生済み記録がないと判断され
た場合、出力装置（例えばモニター等）に当該コンテンツが未再生状態であることを示す
表示を行い（例えば図４に示す「番組Ｂ」）、後述するＳ６０に移行する（Ｓ５０）。
【００３１】
制御部１１は全録画コンテンツの状態表示を行ったかどうかを確認し（Ｓ６０）、状態
表示を行っていない録画コンテンツがある場合は前記のＳ２０に移行し、残りの録画コン
テンツの状態表示処理を行う。なお、全録画コンテンツの状態を表示済みの場合は、本処
理を終了する。
【００３２】
以上の処理により、例えば図４に示すような録画コンテンツ一覧画面が作成され、出力
装置（モニター等）に表示される。なお、本実施例では、録画コンテンツ一覧の一番右の
列が、再生状態を表す欄となっている。それぞれ、番組Ａが「再生済み」、番組Ｂが「未
再生」、番組Ｃが「レジューム状態」となっている。
【００３３】
なお、上記の実施例では、録画コンテンツ一覧の再生状態のみを表示しているが、例え
ば図５に示しように、録画コンテンツがどの部分まで再生されたかの度合いを示すパラメ
ータを、一覧表示画面に表示してもよい。図５の例では、「再生済み」である番組Ａの再
生割合が１００％、「未再生」である番組Ｂの再生割合が０％、「レジューム状態」であ
る番組Ｃの再生割合が４０％であることが示されている。
【００３４】
なお、「再生済み」の状態になるためには必ずしもコンテンツを１００％再生する必要
はなく、ある一定の割合（例えば８０％）を越えて再生した場合は、再生中断を行っても
「レジューム状態」ではなく「再生済み」と判断するように処理を行ってもよい。
【００３５】
また、本実施例においては、ユーザーからの録画コンテンツの一覧表示命令を受け付け
た際に、上記各コンテンツの状態確認処理を行って録画コンテンツ一覧を作成しているが
、ユーザーからの指示を受ける前（例えば録画処理や再生中断処理が行われた直後）に予
め録画コンテンツ一覧を作成してメモリ２、またはＨＤＤ３に記憶しておいてもよい。
【００３６】
また、本実施例では録画コンテンツの状態として「レジューム状態」、「再生済み」、
「未再生」の三つのみを例示しているが、これ以外に録画コンテンツの状態があったとし
ても、本発明は同様の効果をもたらすものである。
【００３７】
また、本実施例においては、録画コンテンツ一覧表示画面における処理について説明し
たが、録画コンテンツ一覧画面以外の一覧表示画面（例えばコンテンツの編集を行う際に
表示される、編集対象コンテンツ一覧画面等）において、上記と同様にレジューム状態の
表示を行ったとしても、同様の効果がもたらされることは言うまでもない。
〈３．録画コンテンツ一覧画面におけるコンテンツ削除時の処理工程について〉
ここで、本発明のＨＤＤレコーダ１における録画コンテンツ一覧画面においてコンテン
ツの削除が指示された際の処理工程について、図２のフロー図、図３のブロック図、およ
び図４のテーブル図を用いながら説明する。
【００３８】
図２に示すように、制御部１１がユーザーからの録画コンテンツの削除を検知すること
により、本処理が開始される（Ｓ１００）。なお、録画コンテンツの削除指示は、例えば
ユーザーが操作ボタン群２１を用いて録画コンテンツの削除操作を行なった場合等に発行
される。
【００３９】
録画コンテンツの削除指示を受けた制御部１１は、ＨＤＤ１３に記録されている録画コ
ンテンツの中から削除対象の録画コンテンツの再生履歴の取得を行い（Ｓ１１０）、取得
された履歴から当該録画コンテンツにレジューム状態（以前に再生が行われ、かつ再生中
断が行われた状態）を示す記録があるかどうかを判別する（Ｓ１２０）。
【００４０】
前記Ｓ１２０の判別処理の結果、制御部１１が当該録画コンテンツの状態をレジューム
状態であると判断した場合、例えば出力装置（例えばモニター等）に当該コンテンツがレ
ジューム状態であることを示すメッセージを表示する等して、ユーザーに対して警告を行
う（Ｓ１３０）。なお、レジューム状態ではないと判断された場合の継続処理（削除処理
等）については従来技術と同様であるため、ここでは説明を省略する。
【００４１】
なお上記の実施例では録画コンテンツの削除処理について例をあげて説明したが、削除
処理以外で、録画コンテンツの内容に対して変更を加える処理（例えば映像の一部を抜き
出して結合する編集処理等）についても、上記と同様の処理方法によってユーザーに警告
メッセージを表示することがより好ましい。
〈４．本発明の種々ある特徴について〉
本実施形態によると、
ＨＤＤレコーダ１のＨＤＤ１３に記録されている録画コンテンツの一覧を表示する画面
において、各録画コンテンツの再生履歴を確認し、レジューム状態である録画コンテンツ
があるかの確認を行い、該当するコンテンツがある場合は、一覧画面表示処理において、
レジューム状態である旨の表示を行う。
【００４２】
この結果、ユーザーはどの録画コンテンツがレジューム状態であるのか一目で確認する
ことができる。従来のように、各コンテンツの再生を行ったり、各コンテンツの詳細情報
を確認するなどの手間が省けるため、ユーザーにとっての利便性が向上するという特徴が
ある。
【００４３】
また本実施形態によると、
レジューム状態である録画コンテンツに対して内容の変更を加える処理（削除、あるい
は編集等）が指示された際に、外部装置等を使用して警告メッセージ等を表示し、ユーザ
ーに通知を行う。
【００４４】
この結果、例えば見終わっていない録画コンテンツ（レジューム状態のコンテンツ）を
ユーザーが過って消去するなどの誤操作を防ぐことができ、データの保全性を向上させる
ことができる。
［その他の実施の形態］
以上、好ましい実施の形態及び実施例をあげて本発明を説明したが、本発明は必ずしも
上記実施の形態及び実施例に限定されるものではなく、その技術的思想の範囲内において
様々に変形して実施することができる。
【００４５】
例えば前述した実施形態の機能を実現するソフトウェアのプログラムコードを記録した
記憶媒体を、ＨＤＤレコーダ１に供給し、そのＨＤＤレコーダ１内のコンピュータ（例え
ばＣＰＵ）が記憶媒体に格納されたプログラムコードを読出し実行することによっても、
達成されることは言うまでもない。
【００４６】
この場合、記憶媒体から読出されたプログラムコード自体が、前述した実施形態の機能
を実現することになり、そのプログラムコードを記憶した記憶媒体は本発明を構成するこ
とになる。
【００４７】
なお、プログラムコードを供給するための記憶媒体としては、例えば、フロッピディス
ク、ＨＤＤ、光ディスク、光磁気ディスク、ＣＤ−ＲＯＭ、ＣＤ−Ｒ、磁気テープ、不揮
発性のメモリカード、ＲＯＭなどを用いることができる。
【００４８】
また、コンピュータが読出したプログラムコードを実行することにより、前述した実施
形態の機能が実現されるだけでなく、そのプログラムコードの指示に基づき、コンピュー
タ上で稼働しているＯＳ（オペレーティングシステム）などが実際の処理の一部または全
部を行い、その処理によって前述した実施形態の機能が実現される場合も含まれることは
言うまでもない。
【００４９】
さらに、記憶媒体から読出されたプログラムコードが、コンピュータに挿入された機能
拡張ボードやコンピュータに接続された機能拡張ユニットに備わるメモリに書込まれた後
、そのプログラムコードの指示に基づき、その機能拡張ボードや機能拡張ユニットに備わ
るＣＰＵなどが実際の処理の一部または全部を行い、その処理によって前述した実施形態
の機能が実現される場合も含まれることは言うまでもない。
【００５０】
また、本発明の映像情報処理方法が、ＨＤＤレコーダ以外の映像処理装置において用い
られたとしても、同様の効果がえられることは言うまでもない。なお、映像情報処理装置
としては、例えばＤＶＤレコーダ、ビデオテープレコーダ（ＶＴＲ）、ＤＶレコーダ、パ
ソコン、デジタルビデオカメラ、などが挙げられる。
【図面の簡単な説明】
【００５１】
【図１】本発明のＨＤＤレコーダによる一覧画面表示時の処理フロー図である。
【図２】本発明のＨＤＤレコーダによる映像情報削除時の処理フロー図である。
【図３】本発明のＨＤＤレコーダ内部の要部構成を示したブロック図である。
【図４】本発明のＨＤＤレコーダによる一覧画面表示の一例を示したテーブル図である。
【図５】本発明のＨＤＤレコーダによる一覧画面表示の一例を示したテーブル図である。
【図６】従来のＨＤＤレコーダによる一覧画面表示の一例を示したテーブル図である。
【符号の説明】
【００５２】
１      ＨＤＤレコーダ（映像情報処理装置）
１１    制御部
１２    メモリ
１３    ＨＤＤ（記憶部）
１４    データ入力部
１５    エンコーダ部
１６    デコーダ部
１７    データ出力部
１８    制御プログラム記憶部
【図１】
2007020089.tif 000003
【図２】
2007020089.tif 000004
【図３】
2007020089.tif 000005
【図４】
2007020089.tif 000006
【図５】
2007020089.tif 000007
【図６】
2007020089.tif 000008